(57)【要約】      （修正有）【課題】進む方向を色分けしたＬＥＤライトを乗客が進む方向に点滅させ乗客を誘導し、階段上での混乱を解決する。【解決手段】階段スベリ止め部に誘導装置本体を、全段及び横に数列取り付け各誘導装置に立て横に２色以上のＬＥＤライトを取り付け、右側進む方向にＬＥＤライトを点滅させ、又左側対向側階段に、別色のＬＥＤライトを点滅させ、進入禁止区域をあらわす。又時間帯や混雑状況により点滅している、誘導装置本体の本数をかえ「幅」をかえ混乱を回避しスムースに安全に誘導するものである。【選択図】図１
0003109709.tif 000002
【実用新案登録請求の範囲】
【請求項１】
誘導装置本体を、駅階段角スベリ止め部に全段及び横に数列本体固定ボルトで取り付け、誘導装置本体、中央内側に２色以上のＬＥＤライトを上窓と横窓に取り付け、誘導装置本体横窓に取り付けたＬＥＤライトを、進む方向に階段を光が「かけあがる。」ようにＬＥＤライトを点滅させ、人の流れを誘導し又左側階段横窓に取り付けたＬＥＤライトを、別色で点滅させ進入禁止区域とし降りてくる人の流れを妨げないようにし、又誘導装置本体上窓に取り付けたＬＥＤライトを進む方向に階段を光が「かけおりる。」ようにＬＥＤライトを点滅させ人の流れを誘導し又左側階段上窓に取り付けたＬＥＤライトを、別色で点滅させ、進入禁止区域とし、上ってくる人の流れを妨げないようにし危険を回避する。ことを特徴とする混雑回避誘導装置。
【請求項２】
階段角に全段及び横に数列並べた、誘導装置本体を混雑状況や時間帯により階段の上り下りを、誘導装置本体の点滅している本数を換え、上り下りの「幅」を換え、本来の右側通行を変えることなく階段、より安全を特徴とする誘導装置。
【考案の詳細な説明】
【技術分野】
【０００１】本考案は駅等の階段で上り下りをより安全に誘導することに関するものである。
【背景技術】
【０００２】駅、ホーム等において階段は漠然てきに右側通行とゆうだけで時間帯や電車から降りて来る乗客で階段は表示がはっきりせず階段上で混乱が続いていた。
【考案の開示】
【考案が解決しようとす課題】
【０００３】階段において上り下りの乗客が時間帯によって下りが多くなったり上りが多くなったりしていた。混雑回避誘導装置により進む方向を色分けしたＬＥＤライトを乗客が進む方向に点滅させ乗客を誘導し前述の欠点を解決しょうとするものである。
【課題を解決するための手段】
【０００４】本考案は駅や通路、ホームなどにおいて誘導装置を設置し階段の右側を下りる乗客は青のＬＥＤライトを進む方向に点滅させた方向に進み、左側赤のＬＥＤライトを点滅させた部分は進入禁止区域になる。又左側誘導装置（横）のＬＥＤライトは階段を下りてくる乗客には（上からは見えない）又上りの乗客は右側誘導装置（横）のＬＥＤライト青を進む方向に点滅させた方向に進み左側赤のＬＥＤライトが点滅している部分は進入禁止になる。又右側進む方向の誘導装置（上）赤のＬＥＤライトは（下からでは見えない）従い乗客どうしが階段上で混乱せず安全に通行することにより問題点を解決している。
【考案の効果】
【０００５】従来階段において上り下りの仕切りに手すりを設置してあるが、移動することが出来ず時間帯によって上りの乗客が多くなったり下りの乗客が多くなったりしている。本考案の誘導装置は本来の右側通行とゆう規則をかえずに時間帯により進む方向の誘導装置本体、色別の本数をかえ上り下りの幅を広くしたり狭くしたりすることができ乗客がより安全に通行することが出来る。
【考案を実施するための最良の形態】
【０００６】誘導装置本体を階段全段及び横に数列スベリ止め部分に取り付け上窓部分と横窓部分に赤と青のＬＥＤライトを上と横に赤、青１セットづつ取り付ける。乗客が階段右側を上るとき本体横窓に取り付けた青のＬＥＤライトが各段を進む方向にそって点滅し（右側横窓の赤ＬＥＤライトは消しておく）又そのとき下り階段、本体横窓の赤ＬＥＤライトを点滅させ進入禁止を表示する。左側本体上窓青のＬＥＤライトは下から見えない。（左側下り階段横窓青のＬＥＤライトは消しておく）、下りの乗客は階段右側を下るとき本体上窓に取り付けた青のＬＥＤライトが各段を進む方向にそって点滅し（右側上窓の赤ＬＥＤライトは消しておく）、又そのとき左側上り階段本体上窓赤ＬＥＤライトを点滅させ進入禁止を表示する。左側本体横窓青のＬＥＤライトは上からは見えない、（左側上り階段上窓青のＬＥＤライトは消しておく）、以上により上り下りの乗客どうしが階段上ではちあわせせずスムースに安全に通行できる。
【実施例】
【０００７】以下添付図面に従って一実例を説明する。゜は耐久性のアルミニューム等適宣素材に形成管材を使用、誘導装置本体１、にＬＥＤ基台６、を中心部、内側にビスネジ９、で取り付けるＬＥＤ基台６、に立てに赤、青と横に赤、青のＬＥＤライトを取り付け上窓横窓２、３を水やホコリが浸入できないようセッチャクしビスネジ８、で取り付ける。各誘導装置のＬＥＤライトのコードをコネクターでつなぎ操作コントローラ１１につなぎ操作可能にする。【０００８】前期ＬＥＤ基台６、に取り付けた立て青ＬＥＤライト１０、が点滅している間となりの赤ＬＥＤライト１０、は消しておき、横の赤ＬＥＤライト１０、を点滅させる間横青のＬＥＤライト１０、は消しておく。従い右側階段を下りてくる乗客は立ての青ＬＥＤライト１０、は見えるが左側横青のＬＥＤライト１０、は見えない、又上り階段も右側横の青ＬＥＤライト１０、が点滅している間となりの赤ＬＥＤライト１０、は消しておき右側立ての赤ＬＥＤライト１０、を点滅させる間となりの青ＬＥＤライト１０、は消しておく。従い階段右側を下りてくる乗客は左側上り階段の赤ＬＥＤライト１０、が点滅している区間には進入せず又上り階段の乗客も左側赤ＬＥＤライトが点滅している区間には進入せず乗客どうしがはちあわせせずスムースに安全に通行できる。【０００９】本考案の一実施例は上述の如き構成からなるものであるが、混雑や時間帯によっては降りる乗客と上る乗客の人数が「ことなる。」従来階段に上り下りの仕切りとして手すりが設置してあるが状況によって移動することが出来ない。本考案は状況により上りの乗客が多いときはのぼり階段に設置してある青の誘導装置本体をふやし通行できる［幅］を広げ下りの乗客が多いときは下り階段に設置した青の誘導装置本体をふやし通行できる［幅］を広げ混雑に対応した誘導が出来る。
【図面の簡単な説明】
【００１０】
【図１】  本考案の誘導装置本体正面図        （１部削除）
【図２】  誘導装置本体一部切欠断面図である。
【図３】  誘導装置本体横面図                （１部削除）
【図４】  階段に誘導装置本体設置正面図      （縮小図）
【図５】  階段に誘導装置本体設置横面図      （縮小図）
【符号の説明】
１、    誘導装置本体
２、    上窓
３、    横窓
４、    ガード左
５、    ガード右
６、    ＬＥＤ基台
７、    本体固定ボルト
８、    窓止めビスネジ
９、    ＬＥＤ基台止めビスネジ
１０、  ＬＥＤライト
１１、  操作パネル
１２、  ＩＣ基板
１３、  タイマー
【図１】
0003109709.tif 000003
【図３】
0003109709.tif 000004
【図４】
0003109709.tif 000005
【図５】
0003109709.tif 000006
【手続補正書】
【提出日】平成17年1月12日(2005.1.12)
【手続補正１】
【補正対象書類名】実用新案登録請求の範囲
【補正対象項目名】全文
【補正方法】変更
【補正の内容】
【実用新案登録請求の範囲】
【請求項１】
階段のステップ角部に並べて取り付けられる複数の誘導装置本体を具える混雑回避誘導装置であって、各誘導装置本体が、前記階段の水平面側に設けられた上窓と、前記階段の垂直面側に設けられた横窓と、これら上窓および横窓の各々に設けられた色の異なる２以上のＬＥＤライトを具え、前記階段を降りる方向における右側所定範囲の誘導装置本体の上窓ＬＥＤライトが第１の色で点滅するとともに下窓ＬＥＤライトが第２の色で点滅し、かつ、前記範囲以外の誘導装置本体の上窓ＬＥＤライトが前記第２の色で点滅するとともに下窓ＬＥＤライトが前記第１の色で点滅するよう構成されていることを特徴とする混雑回避誘導装置。
【請求項２】
請求項１に記載の混雑回避誘導装置において、前記所定範囲を可変としたことを特徴とする混雑回避誘導装置。
【請求項３】
請求項１又は２に記載の混雑回避誘導装置において、前記階段の複数段に亘り前記誘導装置本体が取り付けられているとともに、前記所定範囲における上窓ＬＥＤライトは階段を光が駈け降りるように点滅し、前記範囲以外における横窓ＬＥＤライトは階段を光が駆け上がるように点滅して方向を示すことを特徴とする混雑回避誘導装置。
【手続補正２】
【補正対象書類名】図面
【補正対象項目名】図１
【補正方法】変更
【補正の内容】
【図１】
0003109709.tif 000007
【手続補正３】
【補正対象書類名】図面
【補正対象項目名】図２
【補正方法】変更
【補正の内容】
【図２】
0003109709.tif 000008